(57)【要約】【課題】  鉄筋による熱橋を遮断し、断熱性及び居住性に優れるとともに、耐久性の向上を図った鉄筋コンクリート構造の建物の実現する。【解決手段】  鉄筋コンクリート構造において鉄筋を継ぎ合わせるための鉄筋コンクリート構造用の継手用被覆鉄筋１であって、芯材である鉄筋２の表面全体（外周面及び両端面）を所定の厚さの樹脂層５で被覆し、継ぎ合わせる鉄筋の間に介在し、両端から規定の継手長さで重ね合わせてそれぞれと継手結合し、両鉄筋が直接接合することがない全長に設定する。【選択図】  図１
2005273282.tif 000002
【特許請求の範囲】
【請求項１】
鉄筋コンクリート構造において鉄筋８ａ、８ｂを継ぎ合わせるための鉄筋コンクリート構造用の継手用被覆鉄筋１であって、
芯材である鉄筋２の表面全体（外周面及び両端面）を所定の厚さの樹脂層５で被覆し、継ぎ合わせる鉄筋８ａ、８ｂの間に介在し、両端から規定の継手長さＬで重ね合わせてそれぞれと継手結合し、両鉄筋８ａ、８ｂが直接接合することがない全長に設定した鉄筋コンクリート構造用の継手用被覆鉄筋。
【請求項２】
鉄筋２が異形鉄筋である請求項１に記載の鉄筋コンクリート構造用の継手用被覆鉄筋。
【請求項３】
樹脂層５の外周面に凹凸を形成した請求項１又は２に記載の鉄筋コンクリート構造用の継手用被覆鉄筋。
【請求項４】
請求項１、２又は３に記載の鉄筋コンクリート構造用の継手用被覆鉄筋の施工方法であって、
建物持ち出し部（ベランダやテラス）に配筋した鉄筋８ａと建物室内側に配筋した鉄筋８ｂとを、継手用被覆鉄筋１を用いて継ぎ合わせることを特徴とした鉄筋コンクリート構造用の継手用被覆鉄筋の施工方法。
【請求項５】
建物持ち出し部と建物外壁９との境（熱的境界層）に、継手用被覆鉄筋１の配置を揃えた請求項４に記載の鉄筋コンクリート構造用の継手用被覆鉄筋の施工方法。
【発明の詳細な説明】
【技術分野】
【０００１】
この発明は、鉄筋コンクリート構造の建築において、コンクリート内に配筋する鉄筋を継ぎ合わせるために用いる鉄筋コンクリート構造用の継手用被覆鉄筋及びその施工方法に関するものである。
【背景技術】
【０００２】
鉄筋コンクリート（ＲＣ）は、圧縮には強いが引張りに弱いコンクリートを高強度の延性材料である鉄筋で補強した複合材料で、鉄筋コンクリート構造の建物は、躯体主要部をこの鉄筋コンクリートで構成するものである。建物の造形に自由があり、耐久性、耐火性、耐震性に優れた構造であることから、住宅建築においても需要が増加している。
【０００３】
この鉄筋コンクリート構造の建築において、コンクリート内に配筋する鉄筋は、外周面にリブ・節等の突起を設けてコンクリートとの付着力を強化した異形鉄筋が用いられ、鉄筋の継手手段としては、継ぎ合わせる鉄筋同士を規定の重ね長さ沿わせて結束し、コンクリートで周囲を固めて結合する重ね継手工法が取られている。建物の断熱方法としては、建物外壁の外側に断熱材を施工する外断熱工法と、内側（室内側）に断熱材を施工する内断熱工法がある。
【０００４】
また、鉄筋コンクリート構造用の特殊鉄筋として、特開平９−３０２８４２号（特許文献１）に示すように、鉄筋を樹脂で被覆した被覆鉄筋がある。この被覆鉄筋は、鉄筋の腐食を防止することが目的で、海岸地域等の特別な建物の建築には適するが、建築コストの著しい上昇を招くので、一般住宅の建築には不適である。
【特許文献１】特開平９−３０２８４２号公報
【発明の開示】
【発明が解決しようとする課題】
【０００５】
こうした鉄筋コンクリート構造の建物において、ベランダやテラスなどの建物持ち出し部には、その補強のため多数の鉄筋が配筋される。この持ち出し部に配筋した鉄筋が夏季は日射を受けて高温化し、冬季は冷気で冷却し、鉄は熱伝導に極めて優れた材料であるから、この冷熱がコンクリート内の鉄筋により室内側に伝わる熱橋（冷橋）現象が生じる。本来、建物持ち出し部と建物外壁との境は、外気の冷熱を遮断すべき熱的境界層であるが、外断熱工法であれ、内断熱工法であれ、鉄筋による熱橋現象を防止する手段がなく、建物の断熱性能の低下を招くとともに、室内には結露が生じやすいなど、その居住性に課題がある。また、この熱的境界層は、構造上コンクリートに容易にクラックが生じる箇所であり、このクラックからの雨水の浸食して鉄筋の腐食、破壊を生じ、老朽化が最も進行する箇所でもある。
【０００６】
この発明は、こうした課題を解決することを目的とするもので、新規な鉄筋コンクリート構造用の継手用被覆鉄筋及びその施工方法を提案し、鉄筋による熱橋を遮断し、断熱性及び居住性に優れるとともに、耐久性の向上を図った鉄筋コンクリート構造の建物の実現を目的とするものである。
【課題を解決するための手段】
【０００７】
上記の目的を達成するため、この発明の鉄筋コンクリート構造用の継手用被覆鉄筋は、鉄筋コンクリート構造において鉄筋８ａ、８ｂを継ぎ合わせるための鉄筋コンクリート構造用の継手用被覆鉄筋１であって、芯材である鉄筋２の表面全体（外周面及び両端面）を所定の厚さの樹脂層５で被覆し、継ぎ合わせる鉄筋８ａ、８ｂの間に介在し、両端から規定の継手長さＬで重ね合わせてそれぞれと継手結合し、両鉄筋８ａ、８ｂが直接接合することがない全長に設定するものである。
【０００８】
この継手用被覆鉄筋１の芯材である鉄筋２としては異形鉄筋を用いるもので、また、樹脂層５の外周面には、コンクリートとの付着力を強化するために凹凸を形成するものである。
【０００９】
この発明の鉄筋コンクリート構造用の継手用被覆鉄筋の施工方法は、ベランダやテラス等の建物持ち出し部に配筋した鉄筋８ａと建物室内側に配筋した鉄筋８ｂとを、上記の継手用被覆鉄筋１を用いて継ぎ合わせることを特徴とするものである。また、このようにして施工する場合に、建物持ち出し部と建物外壁９との境である熱的境界層に、継手用被覆鉄筋１の配置を揃えて施工するものである。
【発明の効果】
【００１０】
この発明の鉄筋コンクリート構造用の継手用被覆鉄筋を用いて鉄筋８ａ、８ｂを継ぎ合わせれば、鉄筋８ａ、８ｂが直接接合することがなく、継手用被覆鉄筋１の被覆樹脂層５により両鉄筋８ａ、８ｂの熱の伝導を遮断することができる。また、継手用被覆鉄筋１は、継ぎ合わせる鉄筋８ａ、８ｂの直径（Ｄ）に応じた規定の継手長さＬを両端から確保し、両鉄筋８ａ、８ｂが直接接合することがない全長に設定するものであるから、全長は極めて短く設定され、取り扱いも容易である。
【００１１】
また、この発明の鉄筋コンクリート構造用の継手用被覆鉄筋の施工方法によれば、建物持ち出し部に配筋した鉄筋の冷熱が継手用被覆鉄筋１で遮断され、室内側に伝わる熱橋現象を防止することができ、建物の断熱性能の向上が図られ、室内での結露の発生を防止し、居住性に優れた建物を実現することができる。また、熱的境界層に継手用被覆鉄筋１の配置を揃えることで、クラックからの雨水の浸食があっても、継手用被覆鉄筋１は被覆樹脂層５で保護されて芯材の鉄筋２が腐食、破壊を生じることがなく、建物の老朽化を抑制して耐久性の向上を図ることができる。さらに、継手用被覆鉄筋１を要所のみに用いる施工方法であり、特別に建築コストが上昇することもなく、従来同様に重ね継手工法であるから施工性にも優れるものである。
【発明を実施するための最良の形態】
【００１２】
以下にこの発明の実施の形態を、図面を用いて具体的に説明する。
図１及び２は、この発明の継手用被覆鉄筋の実施例である。図に示すように、継手用被覆鉄筋１は、鉄筋２の表面を所定の厚さの樹脂層５で被覆して形成され、樹脂層５は、鉄筋２の外周面のみならず両端面（小口面）をも被覆し、鉄筋２の全体を覆っている。芯材である鉄筋２は、外周面に所定の間隔で節３を設けた異形鉄筋が用いられ、これを被覆した樹脂層５の外周面にも所定の間隔で節６が形成され、コンクリートとの付着性の向上が図られている。
【００１３】
図３に、この継手用被覆鉄筋１を用いて２本の鉄筋８ａ、８ｂ（異形鉄筋）を継ぎ合わせた状態を示す。継ぎ合わせる鉄筋８ａ、８ｂは、継手用被覆鉄筋１の両端から規定の継手長さＬを重ね合わせて結束され、この継手長さＬは、鉄筋８ａ、８ｂの直径の４５倍程度とし、直径１０ｍｍの鉄筋（Ｄ１０）であれば４５ｃｍ、直径１６ｍｍの鉄筋（Ｄ１６）であれば７２ｃｍの重ねシロを設けている。
【００１４】
継手用被覆鉄筋１の全長は、施工する鉄筋８ａ、８ｂの直径に対応し、両端から規定の重ね継手長さＬを設けて両鉄筋８ａ、８ｂが直接接合しない全長に設定されている。例えば、Ｄ１０用として全長１ｍ、Ｄ１６用として全長１ｍ５０ｃｍに全長を設定することができる。このようにして継手用被覆鉄筋１が継ぎ合わせる鉄筋８ａ、８ｂの間に介在し、コンクリート打設により周囲を固めてそれぞれと堅固に継手結合される。
【００１５】
図４は、この発明の鉄筋コンクリート構造用の継手用被覆鉄筋の施工方法の実施例で、要部の鉄筋の配筋状態を示している。この施工例において、ベランダやテラスなどの建物持ち出し部に配筋した鉄筋８ａと建物室内側に配筋した鉄筋８ｂとを、継手用被覆鉄筋１を用いて継ぎ合わせている。建物外壁９の外側に断熱材１０が施工され、建物持ち出し部と外壁９との境である熱的境界層（図中の一点鎖線）に、継手用被覆鉄筋１の配置を揃えて施工している。
【００１６】
図５は、このようにして施工したコンクリート躯体のイメージ図である。図に示すように、建物持ち出し部には強度を確保するために多数の鉄筋８ａが配筋されるが、継手用被覆鉄筋１により熱的境界層で熱橋が遮断され、室内側に配筋した鉄筋８ｂに冷熱が伝わる熱橋現象を防止することができる。
【００１７】
以上、この発明の実施例について説明したが、樹脂層５の外周面には、リブや突起などのその他の任意な凹凸を形成し、より付着力を強化することも可能で、樹脂であるからその成形も容易である。また、継手用被覆鉄筋１は、端部をＬ字形やＵ字形のフック状に形成してもよく、この場合、継手用被覆鉄筋１の折り曲げ加工で端部にフックを形成することもできる。
【図面の簡単な説明】
【００１８】
【図１】この発明の鉄筋コンクリート構造用の継手用被覆鉄筋の実施例で、一部を切り欠いた正面図。
【図２】図１中Ａ−Ａ線で切断した拡大断面図。
【図３】鉄筋を継ぎ合わせた状態を示す説明図。
【図４】この発明の鉄筋コンクリート構造用の継手用被覆鉄筋の施工方法の実施例で、要部の鉄筋の配筋状態を示した説明図。
【図５】鉄筋を配筋したコンクリート躯体のイメージ図
【符号の説明】
【００１９】
１  継手用被覆鉄筋
２  鉄筋
５  樹脂層
８ａ、８ｂ  鉄筋
Ｌ  継手長さ
９  外壁
【図１】
2005273282.tif 000003
【図２】
2005273282.tif 000004
【図３】
2005273282.tif 000005
【図４】
2005273282.tif 000006
【図５】
2005273282.tif 000007